(57)【特許請求の範囲】
【請求項１】
便器本体の上部に固定されるケーシング内に、局部洗浄用のノズル装置等の機能部を収納した衛生洗浄装置において、
前記ノズル装置は、スライダに沿って前後に摺動する洗浄ノズルを備えており、
吐水量調整用の流量調節ユニットを、前記スライダの後端下部に一体に形成した凹陥部に収めたことを特徴とする衛生洗浄装置のノズル装置。
【請求項２】
前記凹陥部には、突端にフックを備えた係止片を設け、前記流量調節ユニットには、前記係止片を係脱自在に係合させる係止突起を備えたアタッチメントを設けてあり、
流量調節ユニットは、凹陥部に嵌め込むだけで、所定位置に自づから固定されるようにしたことを特徴とする請求項１記載の衛生洗浄装置のノズル装置。
【発明の詳細な説明】
【０００１】
【産業上の利用分野】
本発明は、人体の局部を洗浄する衛生洗浄装置に係り、その目的とするところは、前記局部に向けて適温水を噴射するためのノズル装置と、適温水を貯湯する貯湯タンクとの間の配管系統の改良に関する。
【０００２】
【従来の技術】
従来から衛生洗浄装置は、便器本体に固定したケーシング内にバルブユニットや貯湯タンク、ノズル装置等を収納して構成したものが種々開発されている。前記衛生洗浄装置の一実施例を、図２３，２４により説明する。図２３，２４において１００は衛生洗浄装置で、そのケーシング１０１を便器本体１０２の上面後背部に固定することにより、前記便器本体１０２に据付られている。１０３は一端を図示しない給水源に接続し、他端を適温水貯湯用の貯湯タンク１０４の入水部に接続した水道圧調節用の減圧弁及び流路開閉用の電磁弁等からなるバルブユニットである。１０５は１つの流入口と２つの流出口とを備えて前記貯湯タンク１０４から出湯される適温水の吐水量を調節するための周知の流量調節弁（例えば、実開平４−１２２７８１号公報参照）で、その流入口は前記貯湯タンク１０４の出湯部に接続し、２つの流出口はそれぞれ耐熱性に優れたゴムや合成樹脂からなる可撓性のチューブＡ，Ｂを介して適温水を局部に向けて噴射するノズル装置１０６に接続されている。
【０００３】
そして、前記ノズル装置１０６は、例えば、図２３で示すように、後端部に前記流量調節弁１０５の２つの流出口と接続する入湯部を設けたノズルロッド１０６ａをスライダ１０６ｂ上に摺動移動可能に乗載し、前記スライダ１０６ｂの下部に配置した駆動モータ１０６ｃをベルト等を介してノズルロッド１０６ａと駆動可能に連結することによって、前記ノズルロッド１０６ａを局部洗浄位置あるいはケーシング１０１内の収納位置に往復移動できるように構成されている。なお、図２４中、１０７は洗浄後の局部を乾燥する温風ファンである。また、図２３中、１０８は前記バルブユニット１０３の駆動、貯湯タンク１０４内の適温水の温度、流量調節弁１０５の駆動、ノズル装置１０６の駆動、温風ファン１０７の温風温度をそれぞれ制御するための制御装置である。
【０００４】
【発明が解決しようとする課題】
しかしながら、前記のようにして構成した衛生洗浄装置１００において、貯湯タンク１０４は図２３で示すように、一般に縦長な円筒形状で形成されているため、バルブユニット１０３及び流量調節弁１０５とともに、図２４で示すように、便器本体１０２の側方に突出するケーシング１０１左側の袖部１０１ａ内に垂下して収納されており、また、ノズル装置１０６は、駆動モータ１０６ｃの駆動によりケーシング１０１の中央部から便器本体１０２内に向かって進退するよう前記ケーシング１０１のほぼ中央部に収納されているので、前記流量調節弁１０５とノズル装置１０６とを接続するチューブＡ，Ｂの配管距離が必然的に長くなるという問題があった。
【０００５】
ところが、前記チューブＡ，Ｂは、ノズル装置１０６の駆動モータ１０６ｃを駆動してノズルロッド１０６ａを往復移動させると、前記ノズルロッド１０６ａの動きに追従してケーシング１０１内を後部から前部に、前部から後部へと揺動するので、図２４で示すように、前記チューブＡ，Ｂが揺動する範囲内では衛生洗浄装置１００の部材を配置することが困難であった。したがって、例えば、前記制御装置１０８の設置スペースを取るためにケーシング１０１を大きくしたり、あるいは、図２４で示すように、制御装置１０８をケーシング１０１の袖部１０１ａの先端部に窮屈な状態で収納しなければならない等の問題があった。
【０００６】
また、前記チューブＡ，Ｂの揺動を抑制するために、チューブＡ，Ｂの途中をケーシング１０１に固定することも考えられるが、この場合、前記チューブＡ，Ｂはノズル装置１０６のノズルロッド１０６ａの往復移動に追従して移動する際に、前記固定部分が支点となって折れ曲がり、適温水の流路を狭めて局部洗浄に悪影響を与えたり、前記往復運動の繰り返しにより前記チューブＡ，Ｂの固定部分が老朽化して亀裂が入り、この亀裂から適温水が漏出してケーシング１０１内に収納した制御装置１０８等に悪影響を与えたりするという問題があった。
【０００７】
本発明は、前記種々の問題に鑑み、貯湯タンクとノズル装置とのあいだの配管系統を簡素化し、ケーシング内の空所を有効に利用できるようにした衛生洗浄装置のノズル装置を提供することを目的とする。
【０００８】
【課題を解決するための手段】
上記の目的を達成するための、本発明による衛生洗浄装置のノズル装置は、
便器本体の上部に固定されるケーシング内に、局部洗浄用のノズル装置等の機能部を収納した衛生洗浄装置において、
前記ノズル装置は、スライダに沿って前後に摺動する洗浄ノズルを備えており、
吐水量調整用の流量調節ユニットを、前記スライダの後端下部に一体に形成した凹陥部に収めたことを特徴とする衛生洗浄装置のノズル装置。
そして、前記凹陥部には、突端にフックを備えた係止片を設け、前記流量調節ユニットには、前記係止片を係脱自在に係合させる係止突起を備えたアタッチメントを設けてあり、
流量調節ユニットは、凹陥部に嵌め込むだけで、所定位置に自づから固定されるようにしたことも特徴とする。
【０００９】
【作用】
本発明は、前記のようにスライダ及びこのスライダに摺動移動可能に設けた洗浄ノズルからなるノズル装置に、適温水の流量を調節する流量調節ユニットを一体的に取付けて構成したので、流量調節ユニットとノズル装置との間の配管系統を簡素化することができる。
【００１０】
また、前記流量調節ユニットは、前記スライダの下部後端部に形成した凹陥部を有効利用して前記洗浄ノズルとは最短距離にて取付けることができるので、余分な設置スペースを必要とすることなく、ケーシング内の空所を有効に利用することができる。
【００１１】
更に、流量調節ユニットは、スライダの下部後端部の凹陥部に形成した係止片のフックに、流量調節ユニット側に設けたアタッチメントの係止突起を係脱自在に係合させることにより、ほぼ１動作でスライダの凹陥部に取付けることができるように構成したので、ノズル装置の組立作業を効率的に行うことができる。
【００１２】
【実施例】
以下、本発明の実施例を、図１ないし図１８により説明する。図１は衛生洗浄装置を便器本体に据付けた状態を示す斜視図、図２は同じく平面図である。図１，２において、１は便器本体２の上面後背部を利用して設置した衛生洗浄装置で、この衛生洗浄装置１は、上ケーシング３ａと下ケーシング３ｂとによって内部に所要の空間を備えた状態で、前記下ケーシング３ｂを便器本体２に固定することにより据付けられる。また、前記上ケーシング３ａには、便座４及び便蓋５が図示しない枢支手段により開閉自在に取付けられている。
【００１３】
次に、衛生洗浄装置１の内部について説明する。図２に示す６は前記衛生洗浄装置１側方（図２の左側）の給水源（図示せず）と貯湯タンク７との間に配置したバルブユニットで、水道圧調節用の減圧弁６ａと、水路開閉用の電磁弁６ｂとを具備して構成されている。７は局部洗浄用の温水を所定の温度（適温）で貯湯する貯湯タンクで、前記バルブユニット６とは通水管７ａを介して接続されている。８は前記貯湯タンク７から供給される適温水を局部に向けて噴射するノズル装置８で、前記貯湯タンク７とは給湯管７ｂを介して近接した状態で接続されている。９は洗浄後の局部を乾燥する温風ファンである。
【００１４】
そして、前記衛生洗浄装置１の各機能部６〜９は、図２で示すように、上ケーシング３ａの一方の端部（図２の左側）に前方に向けて突出形成した操作盤３ｃ上に配設したおしり洗浄，ビデ洗浄，乾燥，停止等の各操作スイッチからなる操作手段３ｄを適宜操作することにより、前記操作に対応して図示しない制御装置から前記各機能部６〜９に所要の制御信号が出力され、これら各制御信号に基づいてそれぞれ作動するように設けられている。
【００１５】
次に、図３ないし図１８により前記ノズル装置８の構造について説明する。図３，１８で示すように、前記ノズル装置８は、駆動用モータとこの駆動用モータにより駆動するタイミングベルトとを備えた駆動ユニット１０と、洗浄ノズルを備えたノズルユニット１１と、前記貯湯タンク７から供給される適温水の吐水量を調節するための流量調節ユニット１２とによって、概略構成されている。
【００１６】
つづいて、前記ノズル装置８に具備される駆動ユニット１０の構造について図４ないし図９により説明する。図４ないし図９において、１０ａは前部側（図４の左側）に後述する従動プーリーを回転自在に止着する支軸１０ｂ（図５参照）を備え、かつ、後部側にはその上部に後述する駆動用モータの取付部１０ｃと、この取付部１０ｃ直下の下部を鉤形に切り欠いて設けた凹設部１０ｄとをそれぞれ有する駆動ベースである。１０ｅは図６で示すように、前記駆動ベース１０ａの取付部１０ｃに取付けた駆動用モータである。
【００１７】
この駆動用モータ１０ｅを前記駆動ベース１０ａの取付部１０ｃに取付ける場合は、図４及び図８，９で示すように、取付部１０ｃの両端に形成した係止片１０ｃ１  のフック１０ｃ２  部分を、駆動用モータ１０ｅの先端側（回転子軸が突出する方向）に止着したアタッチメント１０ｅ１  の係止突起１０ｅ２  の傾斜面ａを利用して外側に押し拡げ、前記係止片１０ｃ１  のフック１０ｃ２  部分とアタッチメント１０ｅ１  の係止突起１０ｅ２  とを係止させることにより、図９で示すように、駆動用モータ１０ｅを取付部１０ｃに抜脱しないように取付けることができる。
【００１８】
図６，７で示す１０ｆは前記駆動用モータ１０ｅの回転子軸に押えワッシャＷを用いて止着した駆動プーリーである。１０ｇは前記駆動ベース１０ａの支軸１０ｂに止着した従動プーリーで、図５で示すように、支軸１０ｂの先端部に形成した切欠溝１０ｂ１  を利用して前記支軸１０ｂを窄めることにより、該支軸１０ｂに挿着されて回転可能に止着することができる。１０ｈは前記駆動プーリー１０ｆと従動プーリー１０ｇとの間にテンション装置１０ｉにより所定のテンションを加えられた状態で巻掛けたタイミングベルトである。
【００１９】
次に、図１０ないし図１３により、前記ノズル装置８に具備されるノズルユニット１１の構造について説明する。図１０，１１において、１１ａは所定の角度で下向きに傾斜させた縦断面が円弧状のスライダ１１ｂと、前記スライダ１１ｂの下部に形成した後述する流量調節ユニット１２を取付けるための凹陥部１１ｃとを備えたガイドベースで、前記凹陥部１１ｃの上，下端部には、図１０で示すように、一対の係止片１１ｄ，１１ｄがそのフック１１ｄ１  ，１１ｄ１  同士を相対向させて形成されている。
【００２０】
１１ｅは前記スライダ１１ｂに摺動移動可能に取付けた適温水を局部へ向けて噴射する洗浄ノズルで、図１３で示すように、内部を二重構造としたノズル本体１１ｆと、前記ノズル本体１１ｆ内の第１，第２の流通路１１ｆ１  ，１１ｆ２  と連通する適温水を噴射するための第１，第２の噴射孔Ｈ１  ，Ｈ２  を備えたノズルヘッド１１ｇと、後述する流量調節ユニット１２と接続する第１，第２の入湯部１１ｈ１  ，１１ｈ２  を備えたエルボ１１ｈと、前記エルボ１１ｈから前記駆動ユニット１０側に延設されて、駆動ユニット１０のタイミングベルト１０ｈと洗浄ノズル１１ｅとを駆動可能に連結するためのジョイント１１ｉとを備えて構成されている。
【００２１】
そして、前記洗浄ノズル１１ｅをスライダ１１ｂに取付ける場合は、図１１で示すように、洗浄ノズル１１ｅ側のエルボ１１ｈ下部に形成した係合部１１ｊの係合溝１１ｊ１  と、前記スライダ１１ｂ側のガイドレール１１ｂ１  とを係合させることにより、洗浄ノズル１１ｅをスライダ１１ｂに取外し可能に取付けることができる。なお、図１０中、１１ｋはノズルヘッド１１ｇ洗浄用のクリーニングチャンバである。
【００２２】
次に、図１４ないし図１７により、前記ノズル装置８に具備される流量調節ユニット１２の構造について説明する。前記流量調節ユニット１２は、第１，第２の流出口１２ａ，１２ｂを備えたハウジング１２ｃと、前記ハウジング１２ｃ内に挿入されて前記第１，第２の流出口１２ａ，１２ｂを開閉する第１，第２の回転子１２ｄ，１２ｅと、流入口１２ｆを備えて前記ハウジング１２ｃの開口部を閉鎖する閉蓋１２ｇと、前記第１，第２の回転子１２ｄ，１２ｅを駆動するための駆動モータ１２ｈとを備えて構成されている。
【００２３】
そして、前記第１，第２の回転子１２ｄ，１２ｅの外周面には、図１６及び図１７の（ａ），（ｂ）で示すように、その周方向に沿って第１，第２の回転子１２ｄ，１２ｅの上部側においては狭幅で浅く、かつ、下部側に向かうに従って広幅で深くしたテーパ状の流出溝１２ｉ，１２ｊが、それぞれ一方の流出溝（例えば、流出溝１２ｉ）が流出口（例えば、第１の流出口１２ａ）と連通しているときは、他方の流出溝（例えば、流出溝１２ｊ）が流出口（例えば、第２の流出口１２ｂ）と連通しないよう、互いに相反する位置に形成されている。また、前記第１，第２の回転子１２ｄ，１２ｅの下部には、前記流出溝１２ｉ，１２ｊに適温水を導くための導水溝１２ｋ，１２ｌがそれぞれ軸方向に沿って形成されている。
【００２４】
次に、図３及び図１８ないし図２２により、ノズル装置８を組立る場合について説明する。なお、前記駆動ユニット１０は前述したように、その駆動ベース１０ａにそれぞれ駆動用モータ１０ｅと従動プーリー１０ｇとを取付け、更に、前記駆動用モータ１０ｅの回転子軸には駆動プーリー１０ｆを取付けるとともに、この駆動プーリー１０ｆと従動プーリー１０ｇとの間にタイミングベルト１０ｈを巻掛けた状態であらかじめ組み立てておく。また、ノズルユニット１１も同様、ガイドベース１１ａのスライダ１１ｂに洗浄ノズル１１ｅを摺動移動可能に取付ける等してあらかじめ組み立てておく。
【００２５】
前記のように、あらかじめ個々に組み立てておいた駆動ユニット１０とノズルユニット１１とを用いてノズル装置８を組み立てる場合は、はじめに、図３，１０，１９で示すように、ガイドベース１１ａに形成した貫通孔１１ｌ及び駆動ベース１０ａに形成した挿通孔１０ｊに、前記駆動ユニット１０の振動が下ケーシング３ａやノズルユニット１１に伝導するのを抑制するための硬質ゴム等からなる有頭棒状の弾性部材１３を挿入し、前記弾性部材１３の頭部側に形成した鍔部１３ｂをガイドベース１１ａの凹部壁体１１ａ１  に係止させ、駆動ベース１０ａの挿通孔１０ｊに挿入した前記弾性部材１３の先端部に穿孔した透孔１３ａには係止ピン１４を挿着し、この係止ピン１４を前記駆動ベース１０ａの挿通孔１０ｊ周縁に突設した筒状部１０ｋの係止溝１０ｋ１  （図４参照）に係止させることにより、前記弾性部材１３の弾性力を利用して前記ガイドベース１１ａと駆動ベース１０ａとを防振可能に合体して固定する。
【００２６】
また、前記駆動ユニット１０とノズルユニット１１との組立時には、図１０，１１，２０で示すように、洗浄ノズル１１ｅのジョイント１１ｉに形成した係合溝１１ｍに、タイミングベルト１０ｈの上面に突設した係合突起１０ｈ１  を係合させて、洗浄ノズル１１ｅと駆動ユニット１０とを駆動可能に連結する（図１８参照）。
【００２７】
つづいて、前記のようにして駆動ユニット１０とノズルユニット１１との組み立てを終えたら、ガイドベース１１ａの凹陥部１１ｃに流量調節ユニット１２の取付けを行う。流量調節ユニット１２をガイドベース１１ａの凹陥部１１ｃに取付ける場合は、図１６，２１で示すように、駆動モータ１２ｈの先端部に取付けたアタッチメント１２ｈ１  の係止突起１２ｈ２  の傾斜面ｂを利用して、ガイドベース１１ａの凹陥部１１ｃ上，下端部に形成した係止片１１ｄのフック１１ｄ１  部分を外側方向に押し拡げながら前記駆動モータ１２ｈを凹陥部１１ｃ内に押圧し、係止片１１ｄのフック１１ｄ１  部分とアタッチメント１２ｈ１  の係止突起１２ｈ２  とを係止させることにより、図３及び図２２で示すように、駆動モータ１２ｈをガイドベース１１ａの凹陥部１１ｃに挿入固定する。
【００２８】
この後、図３で示すように、流量調節ユニット１２の第１，第２の流出口１２ａ，１２ｂと洗浄ノズル１１ｅの第１，第２の入湯部１１ｈ１  ，１１ｈ２  とを可撓性の供給管１５ａ，１５ｂにより接続してノズル装置８の組み立てを終了する。なお、前記供給管１５ａ，１５ｂは、洗浄ノズル１１ｅの移動に追従させる関係上、この移動に伴って折損しない程度の長さを備えている。
【００２９】
次に、前記のようにして組み立てを行ったノズル装置８により局部の洗浄を行う場合は、上ケーシング３ａの操作盤３ｃ上に配設した操作手段３ｄのうち、例えば、おしり洗浄スイッチを手動操作してバルブユニット６の電磁弁６ｂを開き、所定の水圧に減圧された洗浄水を貯湯タンク７に通水管７ａを介して給送し、前記洗浄水の流入により貯湯タンク７内の適温水は、洗浄水が流入した分だけ給湯管７ｂを通ってノズル装置８に併設した流量調節ユニット１２に通水される。
【００３０】
一方、前記適温水の通水開始と同時に、流量調節ユニット１２の駆動モータ１２ｈが駆動して、第１の回転子１２ｄの流出溝１２ｉを任意の位置において第１の流出口１２ａと連通させる。また、駆動ユニット１０の駆動用モータ１０ｅによりタイミングベルト１０ｈを駆動し、このタイミングベルト１０ｈに駆動可能に連結した洗浄ノズル１１ｅを所定の洗浄位置まで進出させて、図１２，１３で示す洗浄ノズル１１ｅの第１の噴射孔Ｈ１  から前記適温水を局部に向けて噴射する。なお、適温水の噴射量（吐水量）を調節する場合は、操作盤３ｃ上に配設した調節つまみ（例えば、可変抵抗器のつまみ等）３ｅを操作することにより流量調節ユニット１２の駆動モータ１２ｈを駆動し、第１の回転子１２ｄの流出溝１２ｉと第１の流出口１２ａの連通度合いを適宜調整することにより、容易に可変することができる。
【００３１】
局部の洗浄を終了する場合は、上ケーシング３ａの操作盤３ｃ上に配設した操作手段３ｄのうち、停止スイッチを手動操作してバルブユニット６の電磁弁６ｂを閉鎖すると、貯湯タンク７への洗浄水の供給が停止され、これに伴い適温水のノズル装置８への供給も停止する。一方、駆動ユニット１０は駆動用モータ１０ｅによりタイミングベルト１０ｈを駆動し、このタイミングベルト１０ｈに駆動可能に連結した洗浄ノズル１１ｅを下ケーシング３ａの所定の収納位置まで後退させる。
【００３２】
前記のように、本発明においては、流量調節ユニット１２をノズル装置８に一体的に取付けるようにしたので、局部の洗浄に際して、あるいは、局部の洗浄後に、駆動ユニット１０の駆動用モータ１０ｅを駆動して洗浄ノズル１１ｅを往復移動させても、流量調節ユニット１２と洗浄ノズル１１ｅとの間は最短距離にて接続することができるので、従来のように、流量調節弁（貯湯タンク）とノズル装置との間の配管系統が長くなることによって生じる弊害を確実に排除することができる。
【００３３】
また、前記ノズル装置８は、これを構成する駆動ユニット１０，ノズルユニット１１，流量調節ユニット１２をそれぞれユニット化することにより、前記駆動ユニット１０，ノズルユニット１１，流量調節ユニット１２の各ユニット同士は、それぞれほぼ１動作でその取付け、取外しを行うことができ、しかも、前記駆動ユニット１０等各ユニットにおいては各部品同士もほぼ１動作で組み立てたり、解体したりすることができるので、ノズル装置８の組み立て時や故障時の解体等において、部品の組付けや取外しを迅速に行うことができるという利点もある。
【００３４】
なお、本発明は、ノズル装置８と貯湯タンク７とを近接配置した例により説明したが、ノズル装置８には流量調節ユニット１２が具備されているので、従来のように、貯湯タンクから離れた位置にノズル装置を配置するようにしても本発明は成立するものである。
【００３５】
【発明の効果】
本発明は以上説明したように、スライダに摺動移動可能に設けた洗浄ノズルを主体として構成したノズル装置に、流量調節ユニットを前記ノズル装置に合体させて取付けるように構成したので、従来のように、ケーシングの隅部に収納した貯湯タンクに近接配置した流量調節弁と、ケーシング中央部に配置したノズル装置とを長大なチューブを用いて配管接続する場合に比べて、流量調節ユニットとノズル装置との間の配管接続を大幅に縮小して簡素化することができるため、従来における流量調節弁とノズル装置との間隔が広がり、これにより適温水の配管系統が長くなることによって生じる種々の弊害を確実に排除することができる。
【００３６】
また、前記流量調節ユニットは、スライダの下部後端部に形成した凹陥部等の空間を有効利用してほぼ１動作で係脱自在に取付けるようにしたので、即ち、流量調節ユニットと洗浄ノズルとを最短距離によって迅速・確実に接続するようにしたので、前記適温水の配管系統の簡素化と相まってノズル装置の組立作業の効率化及び衛生洗浄装置のケーシング内における各機能部の収納スペースを効果的に配分することが可能となり、この結果、衛生洗浄装置の小型化を良好に図ることができる。
【図面の簡単な説明】
【図１】本発明のノズル装置を備えた衛生洗浄装置を便器本体に据付けた状態を示す斜視図である。
【図２】同じく、衛生洗浄装置を便器本体に据付けた状態を示す平面図である。
【図３】本発明のノズル装置の側面図である。
【図４】駆動ベースの側面図である。
【図５】駆動ベースの要部を拡大して示す平面図である。
【図６】駆動ユニットの一部を切り欠いて示す平面図である。
【図７】駆動ユニットの側面図である。
【図８】駆動用モータを駆動ベースの取付部に取付ける動作を説明するための説明図である。
【図９】駆動用モータを駆動ベースの取付部に取付けた状態を示す横断平面図である。
【図１０】ノズルユニットの側面図である。
【図１１】洗浄ノズルとガイドベースとの係合関係を説明するための説明図である。
【図１２】洗浄ノズルの平面図である。
【図１３】洗浄ノズルの縦断面図である。
【図１４】流量調節ユニットの平面図である。
【図１５】流量調節ユニットの正面図である。
【図１６】流量調節ユニットの要部を切り欠いて示す縦断面図である。
【図１７】（ａ）は図１６のＸ−Ｘ線における縦断面図、（ｂ）は図１６のＹ−Ｙ線における縦断面図である。
【図１８】駆動ユニットとノズルユニットとを合体させた状態を示す平面図である。
【図１９】駆動ユニットとノズルユニットとを弾性部材により合体させる動作を説明するための説明図である。
【図２０】タイミングベルトの係合突起を洗浄ノズルのジョイントの係合溝に係合した状態を示す正面図である。
【図２１】流量調節ユニットをガイドベースの凹陥部に取付ける動作を説明するための説明図である。
【図２２】流量調節ユニットをガイドベースの凹陥部に取付けた状態を示す縦断背面図である。
【図２３】従来の衛生洗浄装置の配管系統を概略的に示す構成図である。
【図２４】従来の衛生洗浄装置を示す平面図である。
【符号の説明】
１  衛生洗浄装置
６  バルブユニット
７  貯湯タンク
８  ノズル装置
１０  駆動ユニット
１０ｄ  凹設部
１０ｅ  駆動用モータ
１０ｈ  タイミングベルト
１１  ノズルユニット
１１ｂ  スライダ
１１ｃ  凹陥部
１１ｄ  係止片
１１ｄ１    フック
１１ｅ  洗浄ノズル
１２  流量調節ユニット
１２ｄ，１２ｅ  回転子
１２ｈ  駆動モータ
１２ｈ１    アタッチメント
１２ｈ２    係止突起
１３  弾性部材
１５ａ，１５ｂ  供給管
【図１】
0003550220.tif 000002
【図２】
0003550220.tif 000003
【図３】
0003550220.tif 000004
【図４】
0003550220.tif 000005
【図５】
0003550220.tif 000006
【図６】
0003550220.tif 000007
【図７】
0003550220.tif 000008
【図８】
0003550220.tif 000009
【図９】
0003550220.tif 000010
【図１０】
0003550220.tif 000011
【図１１】
0003550220.tif 000012
【図１２】
0003550220.tif 000013
【図１３】
0003550220.tif 000014
【図１４】
0003550220.tif 000015
【図１５】
0003550220.tif 000016
【図１６】
0003550220.tif 000017
【図１７】
0003550220.tif 000018
【図１８】
0003550220.tif 000019
【図１９】
0003550220.tif 000020
【図２０】
0003550220.tif 000021
【図２１】
0003550220.tif 000022
【図２２】
0003550220.tif 000023
【図２３】
0003550220.tif 000024
【図２４】
0003550220.tif 000025